(57)【要約】【課題】回路基板の発生する熱を放熱しやすくすると共に、充電池の取り外しも容易にする。【解決手段】板金フレーム６の背面に伝熱シート１０を貼り付け、充電池７における伝熱シート１０側に充電池７の移動を抑制する滑り止めシート１１を貼り付け、充電池７と回路基板８との間に充電池７の厚さ方向に圧縮可能な押圧クッション１２を配置する。伝熱シート１０を充電池７の背面側まで折り返し、押圧クッション１２と回路基板８との間に挟む。【選択図】図１
2014116748.tif 000002
【特許請求の範囲】
【請求項１】
表示部と、
板金フレームを有し、上記表示部を該板金フレームの正面側に収容する正面側キャビネットと、
上記板金フレームの背面側に配置される充電池と、
上記充電池の背面側に配置される回路基板と、
上記正面側キャビネットに結合され、上記充電池及び回路基板を収容する背面側キャビネットとを備え、
上記板金フレームの背面には、伝熱シートが貼り付けられ、
上記充電池における上記伝熱シート側には、該充電池の移動を抑制する滑り止めシートが貼り付けられ、
上記充電池と上記回路基板の間には、該充電池の厚さ方向に圧縮可能な押圧クッションが配置されており、
上記伝熱シートは、上記充電池の背面側まで折り返され、上記押圧クッションと上記回路基板との間に挟まれている
ことを特徴とする携帯端末。
【請求項２】
請求項１に記載の携帯端末において、
上記充電池は、一部のみが上記伝熱シートに貼り付けられ、該伝熱シートの該充電池に貼り付けられた部分は、上記板金フレームの背面には貼り付けられていない
ことを特徴とする携帯端末。
【請求項３】
請求項１又は２に記載の携帯端末において、
上記押圧クッション及び上記滑り止めシートの少なくとも一方は、上記充電池の中央部分に対応する部分が切り抜かれている
ことを特徴とする携帯端末。
【発明の詳細な説明】
【技術分野】
【０００１】
本発明は、充電池が表示部と回路基板との間に収容された携帯端末に関するものである。
【背景技術】
【０００２】
従来より、携帯電話機に代表される携帯端末では、充電池の交換を容易にするため、表示部、回路基板及び充電池の順に筐体内に充電池が収容されていた（例えば、特許文献１参照）。
【先行技術文献】
【特許文献】
【０００３】
【特許文献１】特開２０１２−１０００３４号公報
【発明の概要】
【発明が解決しようとする課題】
【０００４】
近年、スマートフォンが流通するようになり、携帯端末は、ますます表示部が大きくなり、全体の厚さも薄くなってきている。
【０００５】
一方で、充電池の持ちをよくするために充電池を大きくしたいという要請がある。このため、丸みを帯びた側面を有する筐体内の厚さ方向中央に充電池を配置する目的で、表示部、充電池及び回路基板の順に充電池を収容することが考えられる。
【０００６】
この場合、充電池は質量が大きいので、落下等の衝撃を受けた場合、精密部品を多数有する回路基板を損傷させるおそれがある。これを避けるために、充電池を両面テープ等で表示部側及び回路基板側にしっかりと固定する必要があった。しかしながら、このような固定方法では、回路基板が発生する熱が十分に放熱されないという問題がある。また、両面テープでしっかりと固定すると、修理時やリサイクル時に充電池が剥がれにくいという問題がある。
【０００７】
本発明は、かかる点に鑑みてなされたものであり、その目的とするところは、回路基板の発生する熱を放熱しやすくすると共に、充電池の取り外しも容易にすることにある。
【課題を解決するための手段】
【０００８】
上記の目的を達成するために、この発明では、充電池を両面テープで堅固に固定せず、両面を伝熱シートで覆うようにした。
【０００９】
具体的には、第１の発明では、
表示部と、
板金フレームを有し、上記表示部を該板金フレームの正面側に収容する正面側キャビネットと、
上記板金フレームの背面側に配置される充電池と、
上記充電池の背面側に配置された回路基板と、
上記正面側キャビネットに結合され、上記充電池及び回路基板を収容する背面側キャビネットとを備え、
上記板金フレームの背面には、伝熱シートが貼り付けられ、
上記充電池における上記伝熱シート側には、該充電池の移動を抑制する滑り止めシートが貼り付けられ、
上記充電池と上記回路基板の間には、上記充電池の厚さ方向に圧縮可能な押圧クッションが配置されており、
上記伝熱シートは、上記充電池の背面側まで折り返され、上記押圧クッションと上記回路基板との間に挟まれている。
【００１０】
上記の構成によると、充電池の背面側の押圧クッションにより、充電池を板金フレーム側に押し付けると共に、充電池に貼り付けた滑り止めシートが充電池の移動を抑制するので、落下時等に充電池が移動せず、回路基板の損傷が防止される。充電池を両面テープ等で固定する必要がないので、充電池の取り外しが極めて容易となる。そして、伝熱シートにより回路基板の熱が板金フレーム側に伝えられるので、熱がこもってユーザに不快感を与えたり、誤動作を発生させたりするのが防止される。
【発明の効果】
【００１１】
以上説明したように、本発明によれば、板金フレームの背面に伝熱シートを貼り付け、充電池の伝熱シート側に充電池の移動を抑制する滑り止めシートを貼り付け、充電池と回路基板との間に充電池の厚さ方向に圧縮可能な押圧クッションを配置し、押圧クッションと回路基板との間に折り返された伝熱シートを挟み込んだことにより、回路基板の発生する熱を放熱しやすくすると共に、充電池の取り外しも容易にすることができる。
【図面の簡単な説明】
【００１２】
【図１】図２のＩ−Ｉ線断面図であり、一部を拡大して示す。
【図２】本発明の実施形態に係る携帯電話機を示し、（ａ）が正面から見た斜視図で、（ｂ）が背面から見た斜視図である。
【図３】図２のIII−III線断面図である。
【図４】携帯電話機を正面側から見た分解斜視図である。
【図５】携帯電話機を背面側から見た分解斜視図である。
【発明を実施するための形態】
【００１３】
以下、本発明の実施形態を図面に基づいて説明する。
【００１４】
図２は、本発明の実施形態に係る携帯電話機１を示し、（ａ）が正面から見た斜視図で、（ｂ）が背面から見た斜視図である。図１は、図２のＩ−Ｉ線断面図であり、一部を拡大して示す。図３は、図２のIII−III線断面図である。図４は、携帯電話機１の正面から見た分解斜視図であり、図５は、携帯電話機１の背面から見た分解斜視図である。携帯電話機１は、いわゆるスマートフォンであり、正面側にタッチパネルを有する表示部２（ディスプレイユニットは二点鎖線で示す）を備える。表示部２は、正面側キャビネット３に収容されている。正面側キャビネット３の背面側に背面側キャビネット４が図示しないビス等で結合され、その背面がリアカバー５で覆われている。正面側キャビネット３には、ステンレス薄板等よりなる板金フレーム６がインサート成形されている。表示部２は、この板金フレーム６とその周囲の樹脂部分で形成されたディスプレイ収容部３ａに収容されている。
【００１５】
板金フレーム６の背面側には、矩形板状の充電池７が配置されている。この充電池７の背面側に回路基板８が配置され、これら充電池７及び回路基板８が正面側キャビネット３に結合された背面側キャビネット４に収容されている。回路基板８は、発熱源となるＣＰＵなどの電子部品を多数搭載している。充電池７は、例えば、リチウムイオンポリマー二次電池よりなる。
【００１６】
そして、板金フレーム６の背面には、例えばグラファイトの粉末等の熱伝達率の高い材料を含む伝熱シート１０が貼り付けられている。図示しないが、伝熱シート１０は、第１両面テープによって板金フレーム６に貼り付けられている。
【００１７】
一方、充電池７における伝熱シート１０側（正面側）には、充電池７の移動を抑制する矩形状の滑り止めシート１１が貼り付けられている。滑り止めシート１１は、シリコンゴムなどの摩擦係数が大きく、かつある程度柔らかいものよりなり、充電池７が伝熱シート１０に対して上下左右方向に移動するのを抑制し、厚さ方向には変形可能となっている。
【００１８】
本実施形態では、例えば、充電池７は、上側のみが帯状の第２両面テープ（図示せず）によって伝熱シート１０に貼り付けられている。この伝熱シート１０が充電池７に貼り付けられた部分は、第１両面テープがなく、板金フレーム６の背面には貼り付けられていない。なお、この第２両面テープは充電池７の上部ではなく、下部のみを貼り付けてもよく、また、容易に剥がすことができるように広い範囲を微粘着してもよい。
【００１９】
また、充電池７と回路基板８の間には、充電池７の厚さ方向に圧縮可能な押圧クッション１２が配置されている。具体的には、押圧クッション１２は、例えば中央が切り抜かれた枠形シート状のウレタンよりなる。
【００２０】
伝熱シート１０は、板金フレーム６との接着部分から上方に延長されており、充電池７の背面側まで折り返されている。伝熱シート１０は、充電池７を上方から包むようにして押圧クッション１２と回路基板８との間に挟まれている。押圧クッション１２は、滑り止めシート１１のように摩擦係数は大きくないので、その背面に折り返された伝熱シート１０は上下左右方向に滑ることが可能となっている。押圧クッション１２が当接する部分で伝熱シート１０は回路基板８側に押し付けられている。
【００２１】
−実施形態の効果−
（１）本実施形態によると、充電池７の背面側の押圧クッション１２により、充電池７を板金フレーム６側に押し付けると共に、充電池７に貼り付けた滑り止めシート１１が充電池７の移動を抑制するので、落下時に充電池７が移動せず、回路基板８の損傷が防止される。また、充電池７を両面テープ等でしっかりと固定する必要がないので、充電池７の取り外しが極めて容易となる。そして、伝熱シート１０により回路基板８の熱が板金フレーム６側に伝えられるので、熱がこもってユーザに不快感を与えたり、誤動作を発生させたりするのが防止される。
【００２２】
（２）本実施形態では、充電池７は、一部のみが伝熱シート１０に貼り付けられ、この伝熱シート１０の充電池７に貼り付けられた部分は、板金フレーム６の背面には貼り付けられていない。このように、充電池７の一部を伝熱シート１０貼り付けることで、充電池７の移動がさらに抑制される。一方で、伝熱シート１０と充電池７とが貼り付けられる領域を最小限とし、しかも伝熱シート１０における、充電池７が貼り付けられた部分が板金フレーム６に固定されていないので、充電池７の交換が極めて容易になる。
【００２３】
（３）押圧クッション１２は、充電池７の中央部分に対応する部分が切り抜かれている。このため、充電池７の膨らみを許容できるようになっている。なお、押圧クッション１２を切り抜くのではなく、滑り止めシート１１側を切り抜いてもよく、又は両方を切り抜いて充電池７の膨らみ可能な度合いを調整するとよい。
【００２４】
したがって、本実施形態に係る携帯電話機１によると、回路基板８の発生する熱を放熱しやすくすると共に、充電池７の取り外しも容易にすることができる。
【００２５】
（その他の実施形態）
本発明は、上記実施形態について、以下のような構成としてもよい。
【００２６】
すなわち、上記実施形態では、携帯端末は、携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１      携帯電話機（携帯端末）
２      表示部
３      正面側キャビネット
３ａ    ディスプレイ収容部
４      背面側キャビネット
５      リアカバー
６      板金フレーム
７      充電池
８      回路基板
１０      伝熱シート
１１      滑り止めシート
１２      押圧クッション
【図１】
2014116748.tif 000003
【図２】
2014116748.tif 000004
【図３】
2014116748.tif 000005
【図４】
2014116748.tif 000006
【図５】
2014116748.tif 000007